(57)【特許請求の範囲】
【請求項１】
胴周り方向へ延びる横方向と、これに直交する縦方向とを有し、透液性表面シートと、不透液性裏面シートと、これら両シート間に介在する吸液性コアと、前記コアの側縁の外方にあるサイドフラップとを備える使い捨ておむつにおいて、
前記サイドフラップは、前記表面シートと、前記裏面シートと、これら表面および裏面シートとは別体のサイドシートとを有し、前記コアの側縁から横方向へ離間して前記縦方向へ伸長状態で延びる弾性部材が取り付けられており、
前記おむつの表面側には、前記表面および裏面ならびにサイドシートらと別体の不透液性防漏シートからなる防漏フラップが形成されており、
前記防漏フラップは、前記縦方向への弾性伸縮性を有する頂縁部と前記おむつ表面と一体をなす基縁部とを備え、
前記基縁部が、前記サイドフラップの少なくとも前記中央部分において前記弾性部材と前記コアの側縁との間に位置し、
前記弾性部材と前記基縁部との間の部分が、前記弾性部材寄りに位置する低剛性域と前記低剛性域に隣接して前記基縁部寄りに位置する高剛性域とに区分されており、
前記表面および裏面シートは、前記高剛性域に含まれていて前記低剛性域に含まれておらず、前記サイドシートは、前記低剛性域および高剛性域に含まれており、前記防漏シートは、前記低剛性域および高剛性域に含まれていることを特徴とする前記おむつ。
【請求項２】
胴周り方向へ延びる横方向と、これに直交する縦方向とを有し、透液性表面シートと、不透液性裏面シートと、これら両シート間に介在する吸液性コアと、前記コアの側縁の外方にあるサイドフラップとを備える使い捨ておむつにおいて、
前記サイドフラップは、前記表面シートと、前記裏面シートと、これら表面および裏面シートとは別体のサイドシートとを有し、前記コアの側縁から横方向へ離間して前記縦方向へ伸長状態で延びる弾性部材が取り付けられており、
前記おむつの表面側には、前記表面および裏面ならびにサイドシートらと別体の不透液性防漏シートからなる防漏フラップが形成されており、
前記防漏フラップは、前記縦方向への弾性伸縮性を有する頂縁部と前記おむつ表面と一体をなす基縁部とを備え、
前記基縁部が、前記サイドフラップの少なくとも前記中央部分において前記弾性部材と前記コアの側縁との間に位置し、
前記弾性部材と前記基縁部との間の部分が、前記弾性部材寄りに位置する低剛性域と前記低剛性域に隣接して前記基縁部寄りに位置する高剛性域とに区分されており、
前記表面およびサイドシートは、前記高剛性域に含まれていて前記低剛性域に含まれておらず、前記裏面および防漏シートは、前記低剛性域および高剛性域に含まれていることを特徴とする前記おむつ。
【請求項３】
ＪＩＳ  Ｌ−１０９６に準拠したクラーク法によって測定された前記低剛性域における剛性Ｇ１が５０〜１００ｍｍの範囲にあり、同法によって測定された前記高剛性域における剛性Ｇ２が１００〜２５０ｍｍの範囲にあり、前記剛性Ｇ２が前記剛性Ｇ1よりも少なくとも３０ｍｍ大きい請求項１または２記載のおむつ。
【請求項４】
前記弾性部材の最内側の部分から前記高剛性域までの距離が１〜１０ｍｍの範囲にある請求項１〜３のいずれか１項に記載のおむつ。
【発明の詳細な説明】
【０００１】
【発明の属する技術分野】
この発明は、使い捨ておむつに関する。
【０００２】
【従来の技術】
米国特許第４，６９５，２７８号公報には、両側部分にサイドフラップと、防漏フラップとを有する使い捨ておむつが開示されている。サイドフラップは、吸液性コアの側縁部から側方へ水平に延出する裏面シートにコアの表面を覆って側方へ延出する表面シートを重ね合わせることにより形成され、防漏フラップは、サイドフラップの表面に表面シートとは別体のシートを接合することにより、または、サイドフラップにおいて表面シートを逆Ｕ字形を画くように突出させることにより形成されている。サイドフラップの外側縁部には、前後方向へ延びる弾性部材が伸長状態で取り付けられている。防漏フラップは、サイドフラップに接合している基縁部と、フラップ幅方向において前記基縁部と向かい合う自由縁部とを有し、その自由縁部には前後方向へ延びる弾性部材が伸長状態で取り付けられている。
【０００３】
【発明が解決しようとする課題】
前記従来技術のおむつにおいて、防漏フラップは、弾性部材が収縮すると自由縁部がおむつ表面から起立する方向へ動いて防漏堤として機能する。水平に延びたサイドフラップは、弾性部材が収縮すると、コアの側縁部を支点として外側縁部がおむつ内方へ向かい、起立した防漏フラップに接近するように動く。おむつをはかせるときにサイドフラップがこのような状態になると本来着用者の脚周りを覆うべきサイドフラップがおむつの内側へ倒れ込み、その機能を果さないばかりか、おむつ着用時の不快感を強めることにもなる。また、倒れ込んだサイドフラップは、防漏フラップの上に重なって防漏フラップの起立を妨げる。
【０００４】
そこで、この発明が課題とするところは、おむつ着用時における弾性伸縮性サイドフラップのおむつ内側への倒れ込みを防止することにある。
【０００５】
【課題を解決するための手段】
前記課題を解決するためのこの発明は、第１発明と第２発明とによって構成される。前記第１発明が対象とするのは、胴周り方向へ延びる横方向と、これに直交する縦方向とを有し、透液性表面シートと、不透液性裏面シートと、これら両シート間に介在する吸液性コアと、前記コアの側縁の外方にあるサイドフラップとを備える使い捨ておむつである。
【０００６】
かかる使い捨ておむつにおいて、前記第１発明が特徴とするところは、次のとおりである。すなわち、前記サイドフラップは、前記表面シートと、前記裏面シートと、これら表面および裏面シートとは別体のサイドシートとを有し、前記コアの側縁から横方向へ離間して前記縦方向へ伸長状態で延びる弾性部材が取り付けられており、前記おむつの表面側には、前記表面および裏面ならびにサイドシートらと別体の不透液性防漏シートからなる防漏フラップが形成されており、前記防漏フラップは、前記縦方向への弾性伸縮性を有する頂縁部と前記おむつ表面と一体をなす基縁部とを備え、前記基縁部が、前記サイドフラップの少なくとも前記中央部分において前記弾性部材と前記コアの側縁との間に位置し、前記弾性部材と前記基縁部との間の部分が、前記弾性部材寄りに位置する低剛性域と前記低剛性域に隣接して前記基縁部寄りに位置する高剛性域とに区分されており、前記表面および裏面シートは、前記高剛性域に含まれていて前記低剛性域に含まれておらず、前記サイドシートは、前記低剛性域および高剛性域に含まれており、前記防漏シートは、前記低剛性域および高剛性域に含まれている。
【０００７】
【０００８】
【０００９】
【００１０】
【００１１】
この発明のうちの前記第２発明が対象とするのは、胴周り方向へ延びる横方向と、これに直交する縦方向とを有し、透液性表面シートと、不透液性裏面シートと、これら両シート間に介在する吸液性コアと、前記コアの側縁の外方にあるサイドフラップとを備える使い捨ておむつである。かかる前提において、前記第２発明が特徴とするところは、前記サイドフラップは、前記表面シートと、前記裏面シートと、これら表面および裏面シートとは別体のサイドシートとを有し、前記コアの側縁から横方向へ離間して前記縦方向へ伸長状態で延びる弾性部材が取り付けられており、前記おむつの表面側には、前記表面および裏面ならびにサイドシートらと別体の不透液性防漏シートからなる防漏フラップが形成されており、前記防漏フラップは、前記縦方向への弾性伸縮性を有する頂縁部と前記おむつ表面と一体をなす基縁部とを備え、前記基縁部が、前記サイドフラップの少なくとも前記中央部分において前記弾性部材と前記コアの側縁との間に位置し、前記弾性部材と前記基縁部との間の部分が、前記弾性部材寄りに位置する低剛性域と前記低剛性域に隣接して前記基縁部寄りに位置する高剛性域とに区分されており、前記表面およびサイドシートは、前記高剛性域に含まれていて前記低剛性域に含まれておらず、前記裏面および防漏シートは、前記低剛性域および高剛性域に含まれていること、にある。
【００１２】
前記第１および第２発明には、以下のような実施態様がある。
ＪＩＳ  Ｌ−１０９６に準拠したクラーク法によって測定された前記低剛性域における剛性Ｇ１が５０〜１００ｍｍの範囲にあり、同法によって測定された前記高剛性域における剛性Ｇ２が１００〜２５０ｍｍの範囲にあり、前記剛性Ｇ２が前記剛性Ｇ1よりも少なくとも３０ｍｍ大きい。
【００１３】
前記弾性部材の最内側の部分から前記高剛性域までの距離が１〜１０ｍｍの範囲にある。
【００１４】
【発明の実施の形態】
添付の図面を参照して、この発明に係る使い捨ておむつの詳細を説明すると、以下のとおりである。
【００１５】
図１に部分破断斜視図で示された使い捨ておむつ１は、着用者の胴周り方向へ延びる横方向と、横方向に直交する縦方向とを有し、縦方向には前胴周り域６と後胴周り域７とこれら両域６，７間に位置する股下域８とが形成されている。おむつ１はまた、透液性表面シート２と、不透液性裏面シート３と、これら両シート２，３間に介在する吸液性コア４とを有し、コア４の周縁外方には、端縁部において横方向へ延びるエンドフラップ１１，１２と、両側縁部において縦方向へ延びる一対のサイドフラップ１３とが形成されている。おむつ１の内面側には、サイドフラップ１３に沿って縦方向へ延びる一対の防漏フラップ１４が形成されている。後胴周り域７の側縁部のそれぞれには、前胴周り域６の外面に止着するためのテープファスナ１６が取り付けられている。後胴周り域７のエンドフラップ１２は横方向へ延びる１条または複数条の胴周り弾性部材１７を有し、この弾性部材１７がフラップ１２を形成している表裏面シート２，３のうち少なくとも一方の内面に伸長状態で接合している。側縁部フラップ１３は、縦方向へ延びる１条または互いに並行する複数条の脚周り弾性部材１８を有し、防漏フラップ１４は、縦方向へ延びる１条の股下域弾性部材１９を有する。
【００１６】
図２は、図１においておむつ１を縦に二等分している中心線ＩＩ‐ＩＩに沿った断面の一部を示す図である。コア４は、粉砕パルプを主体とする芯材２１をティッシュペーパー２２で被覆したものである。表面シート２と裏面シート３とは、コア４の側縁２３から外方へ延出して積層され、ホットメルト接着剤１０を介して接合している。裏面シート３は表面シート２よりもさらに外方へ延び、水平なサイドフラップ１３の側縁２４にまで延びている。サイドフラップ１３において、裏面シート３の内面側には、脚周り弾性部材１８がホットメルト接着剤（図示せず）を介して伸長状態で取り付けられ、この弾性部材１８を被覆して裏面シート３の内面と表面シート２の外面とに接着剤１０で接合する不透液性の防漏シート２６が、サイドフラップ１３から分岐しておむつ１の内方へ延びる部分によって、防漏フラップ１４を形成している。図示例の脚周り弾性部材１８はＥ１，Ｅ２，Ｅ３の３条で構成されている。
【００１７】
防漏フラップ１４は、サイドフラップ１３からの分岐部である基縁部２８とフラップ１４の幅方向において基縁部２８と向かい合う自由縁部２９とを有する。自由縁部２９において防漏シート２６を折り重ねて接合することにより形成された袋３１の内面には、股下域弾性部材１９がホットメルト接着剤（図示せず）を介して伸長状態で接合している。防漏フラップ１４はおむつ１の内方へ向かって倒伏し、縦方向の両端部３２，３３（図１参照）が、表面シート２の外面に接合している。
【００１８】
サイドフラップ１３は、その全長のうちで、少なくとも中心線ＩＩ‐ＩＩ近傍の部分が、例えば図２の断面形状からなる積層構造を有する。すなわち、フラップ１３は、弾性部材１８を含み裏面シート３と防漏シート２６との２枚が重なり合って接合していて横方向における曲げ剛性が低い第１領域４１と、表裏面シート２，３と防漏シート２６との３枚が重なり合って接合していて横方向における曲げ剛性が高い第２領域４２と、コア４の側縁２３と防漏フラップ１４の基縁２８との間であって、表面シート２と裏面シート３との２枚が重なり合って接合している第３領域４３とを有する。第１領域４１と第２領域４２とは直線Ｍにおいて区分され、第２領域４２と第３領域４３とは直線Ｎにおいて区分され、それぞれの領域４１，４２，４３では、積層されたシートの枚数が異なっている。第１〜３領域４１〜４３の横方向の寸法はｐ，ｑ，ｒであり、好ましくはｐが５〜１００ｍｍ、ｑが１０〜５０ｍｍ、ｒが０〜３０ｍｍの範囲にあって、最内側の脚周り弾性部材Ｅ１から第２領域４２の区分線Ｍまでの距離Ｄは０．５〜３０ｍｍ、より好ましくは１〜１０ｍｍの範囲にある。第１〜３領域４１〜４３の剛性はＪＩＳ  Ｌ−１０９６に準拠したクラーク法によって測定され、好ましくは第１領域４１の剛性Ｇ１が５０〜１００ｍｍ、第２領域４２の剛性Ｇ２が１００〜２５０ｍｍの範囲にあり、剛性Ｇ２が剛性Ｇ1よりも少なくとも３０ｍｍ大きい。第３領域４３の剛性Ｇ３には特別の制約がなく、剛性Ｇ２よりも小さい場合と大きい場合とがある。剛性Ｇ１〜Ｇ３は、当該部位の積層構造と同じ構造の試験片を作製して測定することができる。
【００１９】
図３は、着用させようとしているときのおむつ１の図２と同様な図面である。図１，２のように形成されたおむつ１では、着用させるときにそれが床に置かれると、脚周り弾性部材１８と股下域弾性部材１９とが収縮してそれぞれのフラップ１３，１４にギャザーが生じ、おむつ１の内面が凹となるように縦方向に湾曲する。このときに、防漏フラップ１４は、図２に仮想線で示されるように、基縁部２８を支点にして自由縁部２９がおむつ１の内面から起立し、サイドフラップ１３もまた仮想線のようにおむつ１の内面側へ起立する。湾曲したままでおむつ１を着用させることは難しいから、おむつ１を縦方向へ僅かに引張ってほぼ平らにすると、起立していたサイドフラップ１３は、剛性の低い第１領域４１が第１、２領域４１，４２の区分線Ｍと最内側の弾性部材Ｅ１との間でおむつ１の下方へ向かうように反転し、第１領域４１が図示の如くおむつ１の側方へ延びる。防漏フラップ１４は、引張ることによって起立高さがやや低くなる。サイドフラップ１３がかかる状態にあるときにおむつ１を着用させれば、サイドフラップ１３は、おむつ１の内側へ倒れ込むことがない。換言すると、サイドフラップ１３をコア４と着用者の身体とで挟んでしまうことがない。それゆえ、このおむつ１では、サイドフラップ１３が着用者の脚周りに密着して本来の機能を発揮し、体液の漏れを確実に防止することが可能であり、また、サイドフラップ１３の倒れ込みによっておむつ１の着用感を悪くするということもないし、防漏フラップ１４の起立を妨げることもない。
【００２０】
図４〜６は、この発明の実施態様を例示する図２と同様の図面である。図４のおむつ１では、裏面シート３が幅の狭い不透液性のプラスチックフィルム５１と、フィルム５１の外面に接合した幅の広い不織布５２とによって形成されている。脚周り弾性部材１８を含む第１領域４１は、裏面シート３の不織布５２と防漏フラップ１４を形成している不織布製の防漏シート２６との２枚からなり、第２領域４２は、不織布製の表面シート２と、２枚の裏面シート３と、防漏シート２６との４枚からなり、第３領域４３は、表面シート２と２枚の裏面シート３との３枚からなる。図において積層状態にあるシートは、ホットメルト接着剤１０を介して互いに接合し、接合したシートの剛性は第１領域４１、第３領域４３、第２領域４２の順に高くなる。かかるおむつ１でも、サイドフラップ１３が第１、２領域４１，４２の境界線Ｍで図３のように屈曲し、第１領域４１はおむつ１の側方へ延びることが可能である。
【００２１】
図５のおむつ１では、コア４の粉砕パルプを主体とする芯材４Ａを被覆している上下のティシューペーパー５３，５４が芯材４Ａの外方へ延び、サイドフラップ１３の一部を形成している。サイドフラップ１３では、脚周り弾性部材１８を含む第１領域４１が、表裏面シート２，３および防漏シート２６とは別体の疎水性のサイドシート５６と、防漏シート２６との２枚によって形成され、第２領域４２は、その一部分が表裏面シート２，３と、ティシューペーパー５３，５４と、防漏シート２６との５枚によって形成され、その他の部分が表裏面シート２，３と、防漏シート２６と、サイドシート５６との４枚によって形成されている。第３領域４３は、表裏面シート２，３とティシューペーパー５３，５４との４枚によって形成されている。かかるおむつ１では、区分線Ｍのすぐ内側における第２領域４２の剛性Ｇ２が第１領域４１の剛性Ｇ１よりも少なくとも３０ｍｍ高く、第１領域４１は、図２のように側方へ延びることができる。このような第１領域４１ではサイドシート５６、またはサイドシート５６と防漏シート２６とに通気度の高いシートを使用して、脚周りの通気性をよくすることが容易である。
【００２２】
図６のおむつ１では、サイドフラップ１３の第１領域４１が裏面シート３と防漏シート２６との２枚で形成され、第２領域４２が表裏面シート２，３と、防漏シート２６と、これらシート２，３，２６とは別体の高剛性化サイドシート５７との４枚によって形成されている。積層状態にあるシートは、いずれもホットメルト接着剤１０や溶着によって互いに接合し、防漏フラップ１４はコア４の側縁２３に沿っておむつ１の内方へ延びている。かかるおむつ１の第３領域４３は、寸法ｒが実質的にゼロであり、このおむつ１には第３領域４３が存在していない。シート５７は、第１領域４１の剛性Ｇ１に比べて第２領域４２の剛性Ｇ２を特に高くするためのもので、それには不織布やプラスチックフィルムが使用される。かかるおむつ１の第１領域４１もまた、図３のようにおむつ１の外方へ延びることができる。
【００２３】
図７もまた、この発明の実施態様を例示する図２と同様な図面である。図のおむつ１は、図２のそれと異なり防漏フラップ１４を有しておらず、また、脚周り弾性部材１８は１条の幅広い帯状のものである。サイドフラップ１３の第１領域４１は、脚周り弾性部材１８を含み、不透液性のプラスチックフィルムまたは不織布からなる裏面シート３と、好ましくは不透液性を有する不織布からなる内面シート７１との２枚によって形成され、第２領域４２は、表裏面シート２，３と内面シート７１との３枚によって形成され、第３領域４３が表裏面シート２，３の２枚によって形成されている。第１領域４１において、脚周り弾性部材１８は、その内側縁１８Ａから第１、２領域４１，４２の区分線Ｍまでの距離Ｄが０．５〜３０ｍｍ、より好ましくは１〜１０ｍｍの範囲にある。かかるおむつ１は、床に置かれればサイドフラップ１３が図２の仮想線のごとく起立するが、おむつ１を縦方向へ僅かに引張ることによって、サイドフラップ１３は区分線Ｍの近傍で反転し、図３のように側方へ延びる。サイドフラップ１３のかかる反転を容易にするために、距離Ｄをなるべく小さくして、第２領域４２と弾性部材１８の内側縁１８Ａとを接近させることが好ましい。図１〜６の例のように脚周り弾性部材１８が複数条であるときに、最内側に位置している弾性部材１８と第２領域４２の区分線Ｍとの距離Ｄを０．５〜３０ｍｍ、より好ましくは１〜１０ｍｍにすることは、図２で説明したとおりである。図示例のおむつ１では、サイドフラップ１３が内方へ倒れ込んで防漏フラップ１４の起立を妨げるということはないが、そうした倒れ込みによる体液の漏洩や着用感の悪さという問題が解消する。このおむつ１において、内面シート７１の内側縁７１Ａがコア４の側縁２３にまで達しているときには、第３領域４３の寸法ｒがゼロになる。
【００２４】
この発明において、第１領域４１の剛性Ｇ１と第２領域４２の剛性Ｇ２との差は、図示例のように各領域で積層されるシートの枚数を変化させることによって得ることができる他に、積層される枚数を同じにしておいて積層されるシートの厚さや素材というような種類を変化させることによって得ることもできる。
【００２５】
【発明の効果】
この発明に係る使い捨ておむつではこれを着用させるときに、サイドフラップの外側縁部がおむつの外方へ向かって延びるから、サイドフラップがおむつの内方へ倒れ込むことがなく、サイドフラップ本来の機能を確実に果たすことができる。また、サイドフラップの倒れ込みによって、おむつの着用感を悪くしたり、防漏フラップの起立を妨げたりするということがない。
【図面の簡単な説明】
【図１】使い捨ておむつの部分破断斜視図。
【図２】図１のＩＩ‐ＩＩ線切断面を示すおむつの部分図。
【図３】着用させる状態にあるときのおむつにおける図２と同様の図面。
【図４】実施態様の一例を示す図２と同様の図面。
【図５】実施態様の一例を示す図２と同様の図面。
【図６】実施態様の一例を示す図２と同様の図面。
【図７】実施態様の一例を示す図２と同様の図面。
【符号の説明】
１    使い捨ておむつ
２    表面シート
３    裏面シート
４    コア
１３    サイドフラップ
１４    防漏フラップ
１８    弾性部材
２６    防漏シート
２８    基縁部
２９    自由縁部
４１    低剛性域（第１領域）
４２    高剛性域（第２領域）
５６    別体のシート（サイドシート）
５７    別体のシート（高剛性化サイドシート）
【図１】
0003626647.tif 000002
【図２】
0003626647.tif 000003
【図３】
0003626647.tif 000004
【図４】
0003626647.tif 000005
【図５】
0003626647.tif 000006
【図６】
0003626647.tif 000007
【図７】
0003626647.tif 000008